(57)【要約】【課題】ＬＥＤ光源を交換可能にしてＬＥＤ光源の性能の低下による種々の不具合をなくすこと。【解決手段】入力される画像情報に応じた画像を投影する画像投影装置であって、照明光を出射するＬＥＤ光源を少なくとも有する光源ユニット２６と、入力される画像情報に応じて変調される空間変調素子と、光源ユニット２６が出射した照明光を導いて空間変調素子を照明する照明光学手段と、照明光学手段で照明され空間変調素子で変調された画像を投影する投影光学手段とを有し、光源ユニット２６は画像投影装置に対して着脱可能に構成されている。【選択図】        図１
2005189653.tif 000002
【特許請求の範囲】
【請求項１】
入力される画像情報に応じた画像を投影する画像投影装置であって、
照明光を出射する一体として構成された複数のＬＥＤ光源を少なくとも有する光源ユニットと、
入力される画像情報に応じて変調される空間変調素子と、
前記光源ユニットが出射した照明光を導いて前記空間変調素子を照明する照明光学手段と、
前記照明光学手段で照明され前記空間変調素子で変調された画像を投影する投影光学手段とを有し、
前記光源ユニットは画像投影装置に対して着脱可能に構成されている
ことを特徴とする画像投影装置。
【請求項２】
前記光源ユニットは、前記ＬＥＤ光源を駆動する駆動手段を有することを特徴とする請求項１記載の画像投影装置。
【請求項３】
前記光源ユニットは、前記ＬＥＤ光源が発する熱を前記光源ユニット外部に逃がす放熱ユニットを有することを特徴とする請求項１記載の画像投影装置。
【請求項４】
前記照明光学手段は、前記光源ユニットと一体で画像投影装置に対して着脱可能に構成されていることを特徴とする請求項１記載の画像投影装置。
【請求項５】
前記光源ユニットを画像投影装置に対して取り付ける際には、前記空間変調素子の位置を基準として前記光源ユニットを位置決めすることを特徴とする請求項４記載の画像投影装置。
【請求項６】
前記光源ユニットには、前記ＬＥＤ光源に関する情報を保持する光源情報保持手段をさらに有することを特徴とする請求項４記載の画像投影装置。
【請求項７】
前記ＬＥＤ光源に関する情報は、前記ＬＥＤ光源を駆動する際に前記ＬＥＤに印加する電圧の基準値であることを特徴とする請求項６記載の画像投影装置。
【請求項８】
前記光源ユニットを画像投影装置に対して取り付ける際には、前記照明光学手段の位置を基準として前記光源ユニットを位置決めすることを特徴とする請求項１記載の画像投影装置。
【請求項９】
前記光源ユニットには、前記ＬＥＤ光源の発光面を保護するシャッタ手段を更に有し、
前記シャッタ手段は、前記光源ユニットを画像投影装置に対して取り付ける際に開く動作を行い、
前記光源ユニットを画像投影装置に対して取り外す際に閉じる動作を行うことを特徴とする請求項１記載の画像投影装置。
【請求項１０】
前記光源ユニットは、前記複数のＬＥＤ光源それぞれを時系列に順次点灯させるものであり、
前記照明光学手段は、前記複数のＬＥＤ光源の点灯タイミングに同期し、かつ、前記複数のＬＥＤ光源に対して相対的に移動させる導光手段を有することで、前記時系列に順次点灯するＬＥＤ光源が出射した照明光を前記空間変調素子に導くことを特徴とする請求項１記載の画像投影装置。
【請求項１１】
前記光源ユニットは、前記複数のＬＥＤ光源を円周上に配置し、前記照明光学手段は、前記複数のＬＥＤ光源が配置される円周の中心を回転中心として、前記導光手段を回動させることを特徴とする請求項１０記載の画像投影装置。
【発明の詳細な説明】
【技術分野】
【０００１】
本発明は、入力される画像情報に応じた画像を投影する画像投影装置に関する。
【背景技術】
【０００２】
例えば、特開平１１−２３１４１３号公報や特開２００２−１０７８２３号公報に示されるように、ランプを光源とするプロジェクタは従来より知られている。また、例えば特開平６−１８６５２８号公報に示されるように、ＬＥＤを光源とするディスプレイも従来より知られている。
【発明の開示】
【発明が解決しようとする課題】
【０００３】
上記した従来技術において、特開平１１−２３１４１３号公報や特開２００２−１０７８２３号公報には、ランプ本体、またはランプとリフレクタとが一体に交換できることが記載されているが、特開平６−１８６５２８号公報及びその他の先行技術には、光源となるＬＥＤを交換できる構成を開示したものは存在しなかった。
【０００４】
本発明は、このような課題に着目してなされたものであり、その目的とするところは、少なくともＬＥＤ光源が交換可能にして、ＬＥＤ光源の性能の低下による種々の不具合をなくすことができる画像投影装置を提供することにある。
【課題を解決するための手段】
【０００５】
上記の目的を達成するために、第１の発明は、入力される画像情報に応じた画像を投影する画像投影装置であって、照明光を出射する一体して構成された複数のＬＥＤ光源を少なくとも有する光源ユニットと、入力される画像情報に応じて変調される空間変調素子と、前記光源ユニットが出射した照明光を導いて前記空間変調素子を照明する照明光学手段と、前記照明光学手段で照明され前記空間変調素子で変調された画像を投影する投影光学手段とを有し、前記光源ユニットは画像投影装置に対して着脱可能に構成されている。
【０００６】
また、第２の発明は、第１の発明に係る画像投影装置において、前記光源ユニットは、前記ＬＥＤ光源を駆動する駆動手段を有する。
【０００７】
また、第３の発明は、第１の発明に係る画像投影装置において、前記光源ユニットは、前記ＬＥＤ光源が発する熱を前記光源ユニット外部に逃がす放熱ユニットを有する。
【０００８】
また、第４の発明は、第１の発明に係る画像投影装置において、前記照明光学手段は、前記光源ユニットと一体で画像投影装置に対して着脱可能に構成されている。
【０００９】
また、第５の発明は、第４の発明に係る画像投影装置において、前記光源ユニットを画像投影装置に対して取り付ける際には、前記空間変調素子の位置を基準として前記光源ユニットを位置決めする。
【００１０】
また、第６の発明は、第１の発明に係る画像投影装置において、前記光源ユニットには、前記ＬＥＤ光源に関する情報を保持する光源情報保持手段をさらに有する。
【００１１】
また、第７の発明は、第６の発明に係る画像投影装置において、前記ＬＥＤ光源に関する情報は、前記ＬＥＤ光源を駆動する際に前記ＬＥＤに印加する電圧の基準値である。
【００１２】
また、第８の発明は、第１の発明に係る画像投影装置において、前記光源ユニットを画像投影装置に対して取り付ける際には、前記照明光学手段の位置を基準として前記光源ユニットを位置決めする。
【００１３】
また、第９の発明は、第１の発明に係る画像投影装置において、前記光源ユニットには、前記ＬＥＤ光源の発光面を保護するシャッタ手段を更に有し、前記シャッタ手段は、前記光源ユニットを画像投影装置に対して取り付ける際に開く動作を行い、前記光源ユニットを画像投影装置に対して取り外す際に閉じる動作を行う。
【００１４】
また、第１０の発明は、第１の発明に係る画像投影装置において、前記光源ユニットは、前記複数のＬＥＤ光源それぞれを時系列に順次点灯させるものであり、前記照明光学手段は、前記複数のＬＥＤ光源の点灯タイミングに同期し、かつ、前記複数のＬＥＤ光源に対して相対的に移動させる導光手段を有することで、前記時系列に順次点灯するＬＥＤ光源が出射した照明光を前記空間変調素子に導く。
【００１５】
また、第１１の発明は、第１０の発明に係る画像投影装置において、前記光源ユニットは、前記複数のＬＥＤ光源を円周上に配置し、前記照明光学手段は、前記複数のＬＥＤ光源が配置される円周の中心を回転中心として、前記導光手段を回動させる。
【発明の効果】
【００１６】
本発明によれば、少なくともＬＥＤ光源が交換できるので、ＬＥＤ光源の性能の低下による種々の不具合をなくすことができる。
【発明を実施するための最良の形態】
【００１７】
以下、図面を参照して本発明の実施形態を詳細に説明する。
【００１８】
（第１実施形態）
図１は、本発明の第１実施形態に係る画像投影装置（動作時）の構成を示す図であり、図２は、図１の矢視ＡＡ線に関する断面図であり、図３は、本発明の第１実施形態に係る画像投影装置の構成を示す機能ブロック図である。
【００１９】
図に示すように、第１実施形態に係る画像投影装置は、回動可能な保持具であるロッドホルダ１１に取り付けられたＴ字型の光学面で構成された角型の光学手段である導光ロッド部材２４を、駆動手段としての回転モータ２１で回転し、ドラム状に形成したＬＥＤ基板１２の内周に配列した複数の発光体としてのＬＥＤ１３を、上記導光ロッド部材２４の回転に併せて順次点灯する。
【００２０】
この導光ロッド部材２４は、材質が照明光束の波長域に対して透明なガラスもしくは樹脂で、光の取り込み効率の観点から側面での全反射で導光するように、全面鏡面加工の光学面で構成されたものである。
【００２１】
ここで、このＬ字状の導光ロッド部材２４は、一体成形で製作しても良いし、図２に示すように、角柱の平行ロッド１６と光路折り曲げ用の斜面に反射コートを施した反射プリズム２２とテーパロッド１５の５部品を接合して形成しても良い。なお、５部品を接合して形成する場合、平行ロッド１６、反射プリズム２２、テーパロッド１５の各部材の屈折率が同じ屈折率である必要はない。ここで、平行ロッド１６及びテーパロッド１５の屈折率よりも、反射プリズムの屈折率が高い方が部材の側面から漏れる光が少なくなるので、より望ましい。
【００２２】
これは、反射プリズム２２を通った光線のうち、平行ロッド１６又はテーパロッド１５の側面で反射せず透過してしまうような角度の光線を、反射プリズム２２の屈折率を高くすることで、平行ロッド１６と反射プリズム２２との接合面、または、テーパロッド１５と反射プリズム２２の接合面で反射プリズム２２内に反射させることができ、その結果、部材の側面から漏れる光を減らすことができるためである。
【００２３】
なおここで、上記ＬＥＤ１３は、赤（Ｒ）色、緑（Ｇ）色、青（Ｂ）色の発光色を持つものがそれぞれ所定個数ずつを１セットとしてドラム状のＬＥＤ基板１２の内周に配列されている。そして、上記導光ロッド部材２４の出射端面１８を仮想光源として、図示しない被照明領域を照明するものである。
【００２４】
更に、上記ロッドホルダ１１の側面近傍位置に、該ロッドホルダ１１の回転位置を検出するための回転センサ２３が配されている。この回転センサ２３としては、例えばフォトリフレクタを用い、上記ロッドホルダ１１の側面に貼付された反射板で反射された光の検出により上記ロッドホルダ１１の１回転を検出するようなものが利用できる。
【００２５】
この回転センサ２３による回転位置検出信号は、図３のモータ駆動制御回路１７及び発光タイミング制御回路２５に入力される。
【００２６】
ここで、上記モータ駆動制御回路１７は、上記回転モータ２１を制御するものであり、上記回転モータ２１と共に、上記導光ロッド部材２４を回転可能に駆動する可動手段を構成する。即ち、上記モータ駆動制御回路１７は、ユーザによるボタン操作等に従って動作開始信号が入力されると、上記回転モータ２１の回転を開始させ、上記回転センサ２３によるロッドホルダ１１の回転位置検出結果に従って上記回転モータ２１が一定速度で回転するように駆動制御する。
【００２７】
また、上記発光タイミング制御回路２５は、駆動ＬＥＤ選択回路２８に接続されており、回転センサ２３による回転検出結果が入力されるＬＥＤ駆動制御回路３２とともに、上記複数のＬＥＤ１３の発光タイミングを制御する点灯制御手段を構成するものである。なお、上記ＬＥＤ駆動制御回路３２は、駆動ＬＥＤ選択回路２８とＬＥＤ駆動電流制御回路３１とからなる。
【００２８】
ＬＥＤ駆動電流制御回路３１と、光源情報保持メモリ２９と、駆動手段としてのＬＥＤ駆動回路３３とは制御回路基板１４上に搭載されている。また、複数のＬＥＤ１３はＬＥＤ基板１２上に搭載されていて、光源ユニット２６を構成する。光源ユニット２６と制御回路基板１４とはコネクタ２７により着脱自在に接続可能となっている。
【００２９】
即ち、上記発光タイミング制御回路２５は、上記回転センサ２３による上記ロッドホルダ１１の回転位置検出に基づいてタイミング信号を発生して、上記ＬＥＤ駆動制御回路３２の駆動ＬＥＤ選択回路２８に入力する。この駆動ＬＥＤ選択回路２８は、その入力されたタイミング信号に従って、上記ＬＥＤ基板１２上に実装された各ＬＥＤ（Ｌ１〜Ｌｎ）１３を駆動するための各ＬＥＤ駆動回路（Ｄ１〜Ｄｎ）３３に選択的に駆動制御信号を与えることで、上記導光ロッド部材２４の入射端面つまり平行ロッド１６の入射面位置となったＬＥＤ（Ｌ１〜Ｌｎ）１３を順次点灯させるよう制御する。またこのときの上記ＬＥＤ駆動回路（Ｄ１〜Ｄｎ）によるＬＥＤ（Ｌ１〜Ｌｎ）１３の駆動電流は、上記ＬＥＤ駆動制御回路３２のＬＥＤ駆動電流制御回路３１によってＬＥＤ（Ｌ１〜Ｌｎ）１３の発光光量が最適となるように制御される。
【００３０】
なお、上記ドラム状のＬＥＤ基板１２の外周には放熱ユニットとしてのヒートシンク１０が設けられており、ＬＥＤ（Ｌ１〜Ｌｎ）１３の発光に伴って発生される熱を放熱することで、熱によるＬＥＤ（Ｌ１〜Ｌｎ）１３の特性変化を防止し、該画像投影装置を連続運転しても安定した照明が得られるようになっている。
【００３１】
このように、複数のＬＥＤ（Ｌ１〜Ｌｎ）１３を順次切り替えパルス発光させ、放射光を取込む導光ロッド部材２４との相対位置関係をＬＥＤ（Ｌ１〜Ｌｎ）１３の発光切り替えに併せて選択しながら変移させることによって、それぞれ導光ロッド部材２４が１回転する過程で赤（Ｒ）色、青（Ｂ）色、緑（Ｇ）色、赤（Ｒ）色、青（Ｂ）色、緑（Ｇ）色の順に、発光する光の色が切り替わり、実効的に高輝度の３色のＬＥＤが得られ、大光量の平行度の向上した３色の光が導光ロッド部材２４の出射端面から得られることになる。なお、発光色の順序は上記に限定されるものではなく、適宜設定されれば良い。
【００３２】
なお、この構成では、ＬＥＤ（Ｌ１〜Ｌｎ）１３と導光ロッド部材２４の相対位置変移を、導光ロッド部材２４を回転させることで行っているが、ＬＥＤ（Ｌ１〜Ｌｎ）１３を移動させることによっても実現し得る。しかしながら、導光ロッド部材２４を移動するほうがＬＥＤ（Ｌ１〜Ｌｎ）１３への給電の観点からみれば好適である。
【００３３】
以下に、図４を参照して上記した第１実施形態に係る画像投影装置の分解及び交換について説明する。図４は、光源ユニット２６を画像投影装置から取り外した状態を示している。光源ユニット２６は、ＬＥＤ１３と、各ＬＥＤ１３への配線パターンのあるＬＥＤ基板１２と、このＬＥＤ基板１２と制御回路基板１４とを接続するコネクタピン２７−１から構成される。光源ユニット２６の中心軸と導光ロッド部材２４の回転中心の位置出しは、ＬＥＤ基板１２の円筒外径と、ヒートシンクの内径とに基いて行う。光源ユニット２６と導光ロッド部材２４の回転軸方向の位置出しは、光源ユニット２６のＬＥＤ基板１２端面を制御回路基板１４に突き当てることにより行う。
【００３４】
交換する光源ユニット２６の構成をＬＥＤ群に限定することで、交換に要するコストを最小限にすることができる。
【００３５】
（第２実施形態）
以下に、本発明の第２実施形態について説明する。図５は、本発明の第２実施形態の構成を示す機能ブロック図である。第２実施形態では、複数のＬＥＤ１３と、各ＬＥＤ１３をスイッチングするためのＬＥＤ駆動回路３３と、駆動ＬＥＤ選択回路２８とはＬＥＤ基板１２上に搭載されていて、光源ユニット１２６を構成する。この場合、制御回路基板１４上には、光源情報保持メモリ２９と、基準電圧生成回路３０のみが搭載される。
【００３６】
上記した第２実施形態の構成によれば、光源ユニット１２６と制御回路基板１４とを接続するコネクタのピン数を少なくすることができ、構成が簡単になるとともに信頼性が向上する。
【００３７】
（第３実施形態）
以下に、本発明の第３実施形態について説明する。図６は、本発明の第３実施形態の構成を示す図である。第３実施形態では、複数のＬＥＤ１３が、当該ＬＥＤ１３への配線パターンを有するＬＥＤ基板１２上に搭載されている。該ＬＥＤ基板１２と制御回路基板とはコネクタピン２７−１により接続される。さらに、ＬＥＤ基板１２に隣接して放熱部材としてのヒートシンク１０が配置されている。以上の構成が光源ユニット２２６を構成している。
【００３８】
ここでは、光源ユニット２２６を装置に対して取り付ける際には、照明光学手段を構成する導光ロッド部材２４の位置を基準にして光源ユニット２２６を位置決めする。すなわち、光源ユニット２２６の中心軸と、導光ロッド部材２４の回転中心との位置出しは、ベース２０に設けた位置決めピン４３と、ヒートシンク１０の位置決め穴４２とにより行う。また、光源ユニット２２６と導光ロッド部材２４の回転軸方向の位置出しについては、光源ユニット２２６を制御回路基板１４に突き当てることにより行う。光源ユニット２２６の回転軸回りの位置決めは、回転軸２４−１に関して対称な位置にある２本の位置決めピン４３の直径を異ならせることで正しくない方向での組み付けを防止する。光源ユニット２２６は固定ネジ４１により装置に取り付けられる。
【００３９】
上記した第３実施形態によれば、発熱部位であるＬＥＤ１３及びＬＥＤ基板１２と、放熱部材としてのヒートシンク１０を分離することなく構成することで、両者の密着性を高く維持することができ、熱抵抗を下げることができる。これによって、ＬＥＤ１３から発生する熱を効率良く外部に放出できる。
【００４０】
（第４実施形態）
以下に、本発明の第４実施形態について説明する。図７は、本発明の第４実施形態の構成を示す図である。
【００４１】
第４実施形態では、複数のＬＥＤ１３と、ＬＥＤ基板１２と、ヒートシンク１０と、導光ロッド部材２４と、ロッドホルダ１１と、回転モータ２１と、回転センサ２３と、制御回路基板１４と、保護カバー５２と、ＬＥＤ１３の発光面等を保護するためのシャッタ５３と、位置決めピン４３と、により光源ユニット３２６を構成したことを特徴とする。すなわち、光源ユニット３２６と、照明光学手段を構成する導光ロッド部材２４とは一体となっている。
【００４２】
光源ユニット３２６を装置側の光源ユニット取り付け部材５５に組み付ける過程で、装置側のシャッタ開閉ピン５４がシャッタ５３を開く方向に付勢し、光源ユニット取り付け部材５５に光源ユニット３２６が当てつくとシャッタ５３が全開し、導光ロッド部材２４から放射される光が装置側のリレーレンズ５１を介して空間変調素子としてのＬＣＤ５０に届く（図８）。
【００４３】
ここでは光源ユニット３２６を装置に対して取り付ける際には、ＬＣＤ５０の位置を基準として位置決めするようにする。光源ユニット３２６の中心軸と導光ロッド部材２４の回転中心の位置出しは、ヒートシンク１０に設けた位置決めピン４３と、装置側の光源ユニット取り付け部材５５の位置決め穴により行う。
【００４４】
光源ユニット３２６と導光ロッド部材２４の回転軸方向の位置出しについては、光源ユニット３２６を光源ユニット取り付け部材５５に突き当てることにより行う。
【００４５】
光源ユニット３２６の回転軸回りの位置決めは、回転軸２４−１に関して対称な位置にある２本の位置決めピンの４３の直径を異ならせることにより、正しくない方向での組み付けを防止することができる。
【００４６】
上記した第４実施形態によれば、回転する導光ロッド部材２４と複数のＬＥＤ１３の位置関係が光源の交換作用の前と後とで変化しないため、導光ロッド部材２４とＬＥＤ１３の接触による破損の恐れがない。ＬＥＤ１３と導光ロッド部材２４とが保護カバー５２とシャッタ５３で覆われているため、光源ユニット３２６の保管時及び交換作業時に不用意に導光ロッド部材２４に触れて汚したり破損したりする恐れがない。
【００４７】
図９は、本発明の第４実施形態に係る画像投影装置の構成を示す機能ブロック図である。第４実施形態では、回転モータ２１と、モータ駆動制御回路１７と、回転センサ２３と、発光タイミング制御回路２５と、駆動ＬＥＤ選択回路２８と、複数のＬＥＤ１３と、ＬＥＤ駆動回路３３とはＬＥＤ基板１２に搭載されていて、光源ユニット３２６を構成する。また、制御回路基板１４には、光源情報保持メモリ２９と、基準電圧生成回路３０とが搭載されている。
【００４８】
（第５実施形態）
以下に、本発明の第５実施形態について説明する。図１０は、本発明の第５実施形態の構成を示す図である。第５実施形態では、複数のＬＥＤ１３と、ＬＥＤ基板１２と、各ＬＥＤ１３に関する情報（例えば駆動電流の基準値）を保持する光源情報保持メモリ２９とはＬＥＤ基板１２上に搭載されていて、光源ユニット４２６を構成する。また、制御回路基板１４には、駆動ＬＥＤ選択回路２８と、基準電圧生成回路３０と、ＬＥＤ駆動回路３３とが搭載される。
【００４９】
上記した第４実施形態によれば、駆動電流値が異なるＬＥＤ１３が搭載された光源ユニット４２６に交換した場合であっても、常に最適な駆動電流値で駆動することが可能になり、別途、駆動電流値を調整する手段を設けなくとも済むという利点がある。
【００５０】
（付記）
上記した具体的な実施形態から、以下のような構成を備えた発明を抽出することができる。
【００５１】
１．入力される画像情報に応じた画像を投影する画像投影装置であって、
照明光を出射するＬＥＤ光源を少なくとも有する光源ユニットと、
入力される画像情報に応じて変調される空間変調素子と、
前記光源ユニットが出射した照明光を導いて前記空間変調素子を照明する照明光学手段と、
前記照明光学手段で照明され前記空間変調素子で変調された画像を投影する投影光学手段とを有し、
前記光源ユニットは画像投影装置に対して着脱可能に構成されている
ことを特徴とする画像投影装置。
【００５２】
（実施形態の図面との対応）
上記の構成は、少なくとも実施形態で説明した図１〜図４に対応する。
【００５３】
（効果）
ＬＥＤ光源を交換可能にすることで、寿命で輝度の低下した場合に交換することができる。また、交換前のＬＥＤ光源よりも性能（ＬＥＤの輝度、消費電力等）の向上したＬＥＤ光源に交換することも可能である。さらに、交換する光源ユニットの構成を、複数のＬＥＤに限定することにより交換に要する費用を最小限に抑えることが可能になる。
【００５４】
２．前記光源ユニットは、前記ＬＥＤ光源を駆動する駆動手段を有することを特徴とする１記載の画像投影装置。
【００５５】
（実施形態の図面との対応）
上記の構成は、少なくとも実施形態で説明した図５に対応する。
【００５６】
（効果）
ＬＥＤ光源を交換するときに駆動手段を同時に交換するので、駆動特性が異なるＬＥＤ光源と交換しても常にＬＥＤに最適な特性の駆動手段を用いることができ、十分な性能を発揮することができるとともに、間違った駆動による故障を防止することができる。さらに、ＬＥＤ光源を駆動する駆動手段をＬＥＤ光源の近傍に配置することにより、電流値の大きい駆動手段とＬＥＤ光源間の配線が短くなり、駆動電流の劣化が抑えられる。さらに、光源ユニットと制御基板を接続するコネクタのピン数を少なくすることができ、構成が簡単になるとともに信頼性が向上する。
【００５７】
３．前記光源ユニットは、前記ＬＥＤ光源が発する熱を前記光源ユニット外部に逃がす放熱ユニットを有することを特徴とする１記載の画像投影装置。
【００５８】
（実施形態の図面との対応）
上記の構成は、少なくとも実施形態で説明した図６に対応する。
【００５９】
（効果）
ＬＥＤ光源を交換するときに放熱ユニットを同時に交換するので、ＬＥＤ光源の特性が変化しても常にＬＥＤに最適な放熱能力の放熱ユニットを用いることができ、十分な放熱性能を確保して故障を防止することができる。また、両者の密着性を製造工程で確保することができるので、ＬＥＤ光源から放熱ユニットへの熱伝導率を安定的に高く維持することができる。
【００６０】
４．前記照明光学手段は、前記光源ユニットと一体で画像投影装置に対して着脱可能に構成されていることを特徴とする１記載の画像投影装置。
【００６１】
（実施形態の図面との対応）
上記の構成は、少なくとも実施形態で説明した図７〜図９に対応する。
【００６２】
（効果）
ＬＥＤ光源の光出射面と、出射光を取り込む平行ロッドの入射面のギャップを製造工程で形成したときの精度のまま光源ユニットを交換するので、ギャップの変動による光量の変動の発生やＬＥＤ光源と回転する平行ロッドの衝突を防止できる。また、両者を一体のまま交換することができるので、使用者が交換する際に両者を接触させて破損する恐れがない。
【００６３】
５．前記光源ユニットを画像投影装置に対して取り付ける際には、前記空間変調素子の位置を基準として前記光源ユニットを位置決めすることを特徴とする１記載の画像投影装置。
【００６４】
（実施形態の図面との対応）
上記の構成は、少なくとも実施形態で説明した図７、図８に対応する。
【００６５】
（効果）
空間変調素子としてのＬＣＤ（液晶パネルディスプレイ）の位置を基準にして光源ユニットを位置決めすることで、光源ユニットから出射される照明光がＬＣＤの表示エリアに対して必要十分な領域を確保することができ、撮影装置の表示画像が暗くなったり、表示領域に照明ムラが発生することを防止することができる。
【００６６】
６．前記光源ユニットには、前記ＬＥＤ光源に関する情報を保持する光源情報保持手段をさらに有することを特徴とする１記載の画像投影装置。
【００６７】
（実施形態の図面との対応）
上記の構成は、少なくとも実施形態で説明した図１０に対応する。
【００６８】
（効果）
ＬＥＤ光源の累積使用時間に関する情報を保持させれば、使用者に対して交換時期を報知するための情報源となる。ＬＥＤを交換前のものと異なる特性のものに交換する場合であっても、ＬＥＤの発光・駆動の特性に関する情報を保持させれば、交換後のＬＥＤを最適な状態で駆動することができる。
【００６９】
７．前記ＬＥＤ光源に関する情報は、前記ＬＥＤ光源を駆動する際に前記ＬＥＤに印加する電圧の基準値であることを特徴とする１記載の画像投影装置。
【００７０】
（実施形態の図面との対応）
上記の構成は、少なくとも実施形態で説明した図１０に対応する。
【００７１】
（効果）
使用するＬＥＤ光源に駆動電流の基準値に関する情報を保持する保持手段をＬＥＤ光源と一体で交換すれば、さまざまな特性のＬＥＤ光源を最適な条件で駆動することができ、用途によって表現色特性の異なる光源や、輝度の異なる光源に交換することが可能になる。
【００７２】
８．前記光源ユニットを画像投影装置に対して取り付ける際には、前記照明光学手段の位置を基準として前記光源ユニットを位置決めすることを特徴とする１記載の画像投影装置。
【００７３】
（実施形態の図面との対応）
上記の構成は、少なくとも実施形態で説明した図６に対応する。
【００７４】
（効果）
照明光学手段としての導光ロッド部材の回転軸や回転面の高さに合わせて光源ユニットの位置決めをすることで、ＬＥＤの光出射面と導光ロッド部材の光入射面の位置関係を正しく保つことができ、ＬＥＤと導光ロッド部材の衝突や、両者のギャップの変動による光の取り込む効率の変動や両者の位置ずれによる光の取り込み効率の低下を防止することができる。
【００７５】
９．前記光源ユニットには、前記ＬＥＤ光源の発光面を保護するシャッタ手段を更に有し、
前記シャッタ手段は、前記光源ユニットを画像投影装置に対して取り付ける際に開く動作を行い、
前記光源ユニットを画像投影装置に対して取り外す際に閉じる動作を行うことを特徴とする１記載の画像投影装置。
【００７６】
（実施形態の図面との対応）
上記の構成は、少なくとも実施形態で説明した図７，図８に対応する。
【００７７】
（効果）
光源ユニットが装置に装着されていない場合に、ＬＥＤの光出射面や出射光の通過するロッドへの埃や指紋の付着を防止することができ、光量の低下を防止することができる。また、両者が露出していないので、交換時に不用意に装置の他の場所にぶつけてロッドなどを破損してしまう恐れがない。
【００７８】
１０．前記光源ユニットは、前記複数のＬＥＤ光源それぞれを時系列に順次点灯させるものであり、
前記照明光学手段は、前記複数のＬＥＤ光源の点灯タイミングに同期し、かつ、前記複数のＬＥＤ光源に対して相対的に移動させる導光手段を有することで、前記時系列に順次点灯するＬＥＤ光源が出射した照明光を前記空間変調素子に導くことを特徴とする１記載の画像投影装置。
【００７９】
（実施形態の図面との対応）
上記の構成は、少なくとも実施形態で説明した図１，２，３，６，７，８に対応する。
【００８０】
（効果）
複数のＬＥＤを順次切り替えてパルス発光させ、出射光を取り込む導光ロッド部材との相対位置関係をＬＥＤの発光切り替えに併せて選択しながら変位させることによって、実効的に高輝度のＬＥＤ出射光を取得することができる。
【００８１】
１１．前記光源ユニットは、前記複数のＬＥＤ光源を円周上に配置し、前記照明光学手段は、前記複数のＬＥＤ光源が配置される円周の中心を回転中心として、前記導光手段を回動させることを特徴とする１記載の画像投影装置。
【００８２】
（実施形態の図面との対応）
上記の構成は、少なくとも実施形態で説明した図１，２，３，６，７，８に対応する。
【００８３】
（効果）
複数のＬＥＤ光源に対する導光手段の相対的な移動を導光手段の回動によって行うことにより、ＬＥＤへの給電の構成が単純になって信頼性が増大する。
【図面の簡単な説明】
【００８４】
【図１】本発明の第１実施形態に係る画像投影装置（動作時）の構成を示す図である。
【図２】図１の矢視ＡＡ線に関する断面図である。
【図３】本発明の第１実施形態に係る画像投影装置の構成を示す機能ブロック図である。
【図４】第１実施形態に係る画像投影装置の分解及び交換について説明するための図である。
【図５】本発明の第２実施形態の構成を示す機能ブロック図である。
【図６】本発明の第３実施形態の構成を示す図である。
【図７】本発明の第４実施形態の構成を示す図である。
【図８】第４実施形態の光源ユニットを装置に組み付けた状態を示す図である。
【図９】本発明の第４実施形態に係る画像投影装置の構成を示す機能ブロック図である。
【図１０】本発明の第５実施形態の構成を示す図である。
【符号の説明】
【００８５】
１０…ヒートシンク、１１…ロッドホルダ、１２…ＬＥＤ基板、１３…ＬＥＤ、１４…制御回路基板、１５…テーパロッド、１６…平行ロッド、１７…モータ駆動制御回路、１８…出射端面、１９…入射端面、２０…ベース、２１…回転モータ、２２…反射プリズム、２３…回転センサ、２４…導光ロッド部材、２５…発光タイミング制御回路、２６…光源ユニット、２７…コネクタ、２８…駆動ＬＥＤ選択回路、２９…光源情報保持メモリ、３０…基準電圧生成回路、３１…ＬＥＤ駆動電流制御回路、３２…ＬＥＤ駆動制御回路、３３…ＬＥＤ駆動回路。
【図１】
2005189653.tif 000003
【図２】
2005189653.tif 000004
【図３】
2005189653.tif 000005
【図４】
2005189653.tif 000006
【図５】
2005189653.tif 000007
【図６】
2005189653.tif 000008
【図７】
2005189653.tif 000009
【図８】
2005189653.tif 000010
【図９】
2005189653.tif 000011
【図１０】
2005189653.tif 000012